(57)【要約】【課題】保管・運搬時には折りたたむことができ、施工時において容易に組み立てることのでき、保管スペースを大幅に縮小できるほか、運搬時には一度に複数個のバルコニーを積載でき、運搬コストを削減できるるとともに、施工時において、簡単に組み立てることができ、組立作業に時間が掛からない組立式バルコニーを提供することを目的とする。【解決手段】組立式バルコニー１の前面パネル２に対して、左右両側パネル３Ｌ，３Ｒ及び床パネル５を回動自在に取り付けて構成した。【選択図】    図１２
2006052608.tif 000002
【特許請求の範囲】
【請求項１】
前面パネルに対して、左右両側パネル及び床パネルが回動自在に取り付けられてなることを特徴とする組立式バルコニー。
【請求項２】
前記左右両側パネルは、組立状態において開方向への回動規制手段が設けられてなることを特徴とする請求項１に記載の組立式バルコニー。
【請求項３】
前記左右両側パネルは、組立状態において前記床パネルを支持する支持部が設けられてなることを特徴とする請求項１又は２に記載の組立式バルコニー。
【請求項４】
前記左右両側パネルと前記床パネルとを組立状態において固定する固定手段を備えることを特徴とする請求項１乃至３のいずれかに記載の組立式バルコニー。
【請求項５】
前記前面パネルには、ルーバー窓が設けられており、
前記ルーバー窓は、長手方向に亘り水平部を設けたルーバーを、前記水平部に開孔された孔に挿通された軸に軸支され複数積層してなることを特徴とする請求項１乃至４のいずれかに記載の組立式バルコニー。
【発明の詳細な説明】
【技術分野】
【０００１】
本発明は、例えばマンションの窓外等に取り付けるバルコニーであって、より詳細には、保管・運搬時には折り畳むことができ、施工時において容易に組み立てることのできる組立式バルコニーに関する。
【背景技術】
【０００２】
従来、組立式バルコニーとしては、例えば、特開平５−３３９９８０号公報に記載のものが公知である。この組立式バルコニーは、床フレーム上に壁パネルを立設して構成されるものにおいて、壁パネルを、床フレームに対して取外し可能に構成し、保管・運搬時には、壁パネルを床フレームから取り外し床フレーム上に折り畳んだ状態で固定して形成されている。
【０００３】
前記組立式バルコニーは、上記のように、保管・運搬時には、壁パネルを床フレームから取り外して床フレーム上に折り畳んだ状態で固定できるように構成したので、保管スペースを大幅に縮小できるほか、運搬時には一度に複数個のバルコニーを積載でき、運搬コストを削減できるとともに運搬効率を大幅に向上できる。
【０００４】
【特許文献１】特開平５−３３９９８０号公報
【発明の開示】
【発明が解決しようとする課題】
【０００５】
しかしながら、前記組立式バルコニーは、施工時において、バラバラに分離した壁パネルを、組み立てる必要が有り、組立が煩雑であり、また組立作業に時間が掛かる。
【０００６】
本発明は、かかる事情に鑑みてなされたものであって、保管・運搬時には折りたたむことができ、施工時において容易に組み立てることができ、保管スペースを大幅に縮小できるほか、運搬時には一度に複数個のバルコニーを積載でき、運搬コストを削減できるとともに、施工時において、簡単に組み立てることができ、組立作業に時間が掛からない組立式バルコニーを提供することを目的とする。
【課題を解決するための手段】
【０００７】
請求項１に記載の組立式バルコニーは、前面パネルに対して、左右両側パネル及び床パネルが回動自在に取り付けられてなることを特徴とする。
【０００８】
請求項１に記載の組立式バルコニーにあっては、前面パネルに対して、左右両側パネル及び床パネルが回動自在に取り付けられて構成されているので、保管・運搬時には、前面パネルに対して、左右両側パネル及び床パネルを内側に回動させて折り畳むことができ、施工時においては、前記折り畳まれた左右両側パネル及び床パネルを、外側に回動させることにより、容易に組み立てることができる。
【０００９】
請求項２に記載の組立式バルコニーは、請求項１記載の組立式バルコニーにおいて、前記左右両側パネルは、組立状態において開方向への回動規制手段が設けられてなることを特徴とする。
【００１０】
請求項２に記載の組立式バルコニーにあっては、請求項１記載の組立式バルコニーに加えて、前記左右両側パネルに、組立状態において開方向への回動規制手段を設けたので、施工時においては、前記折り畳まれた左右両側パネル及び床パネルを、外側に回動させるときでも、過剰に回動することはなく、組立作業がさらに容易となる。
【００１１】
請求項３に記載の組立式バルコニーは、請求項１又は２のいずれかに記載の組立式バルコニーにおいて、前記左右両側パネルは、組立状態において前記床パネルを支持する支持部が設けられてなることを特徴とする。
【００１２】
請求項３に記載の組立式バルコニーにあっては、請求項１又は２のいずれかに記載の組立式バルコニーに加えて、前記左右両側パネルに、組立状態において前記床パネルを支持する支持部を設けたので、組み立て作業を行う場合に、まず、前記左右両側パネルを外側に回動させた後に、前記床パネルを外側に回動させると、組立状態において、前記床パネルは前記左右両側パネルに支持されることとなり、前記床パネルの固定位置が容易に定まるので、組立作業がさらに容易となる。
【００１３】
請求項４に記載の組立式バルコニーは、請求項１乃至３のいずれかに記載の組立式バルコニーにおいて、前記左右両側パネルと前記床パネルとを組立状態において固定する固定手段を備えることを特徴とする。
【００１４】
請求項４に記載の組立式バルコニーにあっては、請求項１乃至３のいずれかに記載の組立式バルコニーに加えて、前記左右両側パネルと前記床パネルとを組立状態において固定する固定手段を設けたので、前記組立式バルコニーを建物に取り付ける際に、不用意に前記左右両側パネル又は前記床パネルが回動することなく、容易に建物に取り付けることができるとともに、組立状態における剛性が高くなる。
【００１５】
請求項５に記載の組立式バルコニーは、請求項１乃至４のいずれかに記載の組立式バルコニーにおいて、前記前面パネルには、ルーバー窓が設けられており、前記ルーバー窓は、長手方向に亘り水平部を設けたルーバーを、前記水平部に開孔された孔に挿通された軸に軸支され複数積層してなることを特徴とする。
【００１６】
請求項５に記載の組立式バルコニーにあっては、請求項１乃至４のいずれかに記載の組立式バルコニーに加えて、前記前面パネルにルーバー窓を設けて、前記ルーバー窓を、長手方向に亘り水平部を設けたルーバーを、前記水平部に開孔された孔に挿通された軸に軸支され複数積層して構成したので、前記前面パネルにルーバー窓を設ける場合であっても、容易にルーバー窓を形成することができる。
【発明の効果】
【００１７】
請求項１に記載の組立式バルコニーによれば、前面パネルに対して、左右両側パネル及び床パネルが回動自在に取り付けられて構成されているので、保管・運搬時には、前面パネルに対して、左右両側パネル及び床パネルを内側に回動させて折り畳むことができ、施工時においては、前記折り畳まれた左右両側パネル及び床パネルを、外側に回動させることにより、容易に組み立てることができる。
【００１８】
請求項２に記載の組立式バルコニーによれば、請求項１記載の組立式バルコニーに加えて、前記左右両側パネルに、組立状態において開方向への回動規制手段を設けたので、施工時においては、前記折り畳まれた左右両側パネル及び床パネルを、外側に回動させるときでも、過剰に回動することはなく、組立作業がさらに容易となる。
【００１９】
請求項３に記載の組立式バルコニーによれば、請求項１又は２のいずれかに記載の組立式バルコニーに加えて、前記左右両側パネルに、組立状態において前記床パネルを支持する支持部を設けたので、組み立て作業を行う場合に、まず、前記左右両側パネルを外側に回動させた後に、前記床パネルを外側に回動させると、組立状態において、前記床パネルは前記左右両側パネルに支持されることとなり、前記床パネルの固定位置が容易に定まるので、組立作業がさらに容易となる。
【００２０】
請求項４に記載の組立式バルコニーによれば、請求項１乃至３のいずれかに記載の組立式バルコニーに加えて、前記左右両側パネルと前記床パネルとを組立状態において固定する固定手段を設けたので、前記組立式バルコニーを建物に取り付ける際に、不用意に前記左右両側パネル又は前記床パネルが回動することなく、容易に建物に取り付けることができるとともに、組立状態における剛性が高くなる。
【００２１】
請求項５に記載の組立式バルコニーによれば、請求項１乃至４のいずれかに記載の組立式バルコニーに加えて、前記前面パネルにルーバー窓を設けて、前記ルーバー窓を、長手方向に亘り水平部を設けたルーバーを、前記水平部に開孔された孔に挿通された軸に軸支され複数積層して構成したので、前記前面パネルにルーバー窓を設ける場合であっても、容易にルーバー窓を形成することができる。
【発明を実施するための最良の形態】
【００２２】
以下、本発明を実施するための最良の形態を図面に基づいて具体的に説明する。
【００２３】
図１は本発明にかかる組立式バルコニーを建物の外壁面に取り付けた状態を示す斜視図であり、図２は同組立式バルコニーの組立状態における背面側斜視図である。
【００２４】
図１および図２において、１は、本発明に係る組立式バルコニーであり、該組立式バルコニー１は、マンション等の集合住宅や一戸建て住宅など建物Ｍの窓ＷＤの下方の外壁面ＷＬに取り付けられるものであり、例えば、エアコンディショナーの室外機ＡＣを設置する場所として、或いは、植物を植えたプランターを載置する場所として使用される。
【００２５】
前記組立式バルコニー１は、前記前面パネル２の両端に、左側パネル３Ｌおよび右側パネル３Ｒとを接合し、前記前面パネル２の下端に、床パネル５を接合して構成される。
【００２６】
前記前面パネル２には、横長矩形状の前面開口部２２が大きく開設されており、該前面開口部２２には、通風の為のルーバー窓１０を取り付けている。
【００２７】
図３は前面パネルの拡大断面図であり、（ａ）は図２におけるＡ−Ａ線拡大断面図であり、（ｂ）は図２におけるＢ−Ｂ線拡大断面図である。図４は前面パネルの部分拡大断面図であり、（ａ）は前面パネル上部の拡大断面図であり、（ｂ）は前面パネル下部の拡大断面図である。また、図５は前面パネルの端部拡大図であり、（ａ）は図２におけるＣ−Ｃ線拡大断面図であり、（ｂ）は拡大斜視図である。
【００２８】
前記前面パネル２は、図１および図２に示すように、上横枠２ａと左右の縦枠２ｃ，２ｃと下横枠２ｂとによって構成される前面パネル枠２０と、該前面パネル枠２０に囲繞された前記前面開口部２２に嵌合される前記ルーバー窓１０とで構成されており、前記左右の縦枠２ｃ，２ｃは、後方に向けて直角に延設された後方延設部２１Ｌ，２２Ｒを夫々備えている。
【００２９】
前記上横枠２ａおよび左右の縦枠２ｃ，２ｃの上部には、図３に示すように、前記下横枠２ｂよりも幅方向に突出した幅広部２ｄを設けており、これにより、前記前面パネル枠２の上部を幅広く形成している。
【００３０】
そして、前記上横枠２ａの下面には、図３（ａ）および図４に示すように、下方に突出した幅狭部２ｅを横方向に亘り形成しており、該幅狭部２ｅの外側には、更に下方に向けてリブ２ｆを突設しており、前記下横枠２ｂの上面２ｇの中央には、前記幅狭部２ｅに対向する２本のリブ２ｈ，２ｉを横方向に亘って上方に突設している。
【００３１】
前記前面パネル２における前記左側パネル３Ｌおよび右側パネル３Ｒとの接合面２１ａは、図５に示すように、これらを形成している前記後方延設部２１Ｌ，２２Ｒの後端部を突き合わせる方向に折曲させて形成している。
【００３２】
そして、前記接合面２１ａにおいて、内側面の上部と下部には、夫々後述する蝶番４１を取り付けるための蝶番用ビス孔２１ｂを縦方向に３穴ずつ開孔しており、また、前記ビス孔２１ｂに近接した外側面にも、固定用ビス孔２１ｃを、２穴、夫々開孔している。
【００３３】
また、図５に示すように、前記後方延設部２１Ｌの上部には、組立状態において、前記前面パネル２と前記左側パネル３Ｌとを固定するための、あて板２１ｄが取り付けられており、該あて板２１ｄには、固定用のビス孔２１ｅが２穴、開孔されている。
【００３４】
さらに、前記下横枠２ｂの内側上部には、図４（ｂ）に示すように、前記床パネル５の前端部を接合する蝶番４２を取り付けるための蝶番用ビス孔２ｊを３穴、開孔している。また、前記蝶番用ビス孔２ｊの下方には、水平に回動させた前記床パネル５の前端縁を載置する床パネル支持リブ２ｓを長手方向に沿って形成している。一方、前記後方延設部２１Ｌ，２１Ｒの内側下部においても、水平に回動させた前記床パネル５の両端縁を載置する床パネル支持リブ２１ｓを長手方向に沿って形成している。
【００３５】
前記ルーバー窓１０は、図３（ａ）および図４に示すように、前記前面開口部２２の形状に合致する矩形のルーバー枠１１内に、前記ルーバー枠１１の内側に嵌合する長尺のアルミニウム薄板で形成された１２枚のルーバー１２を、幅方向前端を下方に傾斜させた状態で、上下方向に一定間隔を設けて多段に支持して構成している。
【００３６】
前記ルーバー１２は、幅方向の中央部に長手方向に亘り水平部１２ａを設けて、階段状に形成しており、前記ルーバー１２の水平部１２ａには、長尺ボルト１３の軸部を挿通させる孔１２ｂを５穴、開孔している。
【００３７】
そして、前記長尺ボルト１３を、前記ルーバー枠１１の横方向に所定間隔を開けて５本、前記ルーバー枠１１の下枠下面から上方に向けて挿入し、前記５本の長尺ボルト１３の軸部１３ａに、前記ルーバーの各孔１２ｂを挿通し、前記ルーバー１２間においては、前記軸部１３ａに遊挿できる筒状のスペーサＳを、さらに挿入して、前記各ルーバー１２が一定間隔を保てるようになし、前記ルーバー枠１１の上枠から上方に突出した長尺ボルト１３の先端部にナット１６を締結して、前記ルーバー窓１０を構成している。
【００３８】
以上のように構成した前記ルーバー窓１０を、図４（ａ）および図５に示すように、前記前面開口部２２の上部及び下部に形成されているリブ２ｆ，２ｈ，２ｉに接するように、前記前面開口部２２の後方側から該前面開口部２２内に嵌め込んだ後、図６の前面パネルの分解斜視図に示すように、前記前面開口部２２の後方から左右側の押え部材１４Ｌ，１４Ｒと、上側の押え部材１５とで前記ルーバー枠１１を後方から押し当ててビス１８でビス止めし、前記前面パネル２に固定するのである。
【００３９】
図７は両側パネルの前方側斜視図であり、（ａ）は右側パネルの前方側斜視図であり、（ｂ）は左側パネルの前方側斜視図である。また、図８は両側パネルの後方側斜視図であり、（ａ）は左側パネルの後方側斜視図であり、（ｂ）は右側パネルの後方側斜視図である。
【００４０】
なお、前記左側パネル３Ｌと前記右側パネル３Ｒとは、左右対称の形状であるため、前記右側パネル３Ｒにおいて前記左側パネル３Ｌと共通する箇所については同一符号を付して説明を省略する。
【００４１】
図７および図８に示すように、前記左側パネル３Ｌは、前記後方延設部２１Ｌの上部形状に合わせた中空角形状の上横桟３ａと、下部形状に合わせた中空角形状の下横桟３ｂと、角形状の縦桟３ｃと縦桟３ｄとで、左パネル枠３０を形成し、前記左パネル枠３０内にアルミニウムの薄板で形成された３枚の側パネル板３１を内嵌して構成している。
【００４２】
前記縦桟３ｃにおける前記前面パネルと接合する接合面３ｅには、該接合面３ｃの内方に後述する蝶番４１を取り付けるための蝶番用ビス孔３ｆを４穴、上方と下方の二カ所に夫々開孔しており、また、前記接合面３ｃの外方には、前記左側パネル３Ｌを組立状態で前記前面パネル２に固定するための固定用ビス孔３ｇを、２穴、上方と下方の二カ所に夫々開孔している。
【００４３】
前記縦桟３ｄにおける建築物Ｍの外壁面ＷＬと接面する接合面３ｈには、該接合面３ｈの外側に、前記組立式バルコニー１を前記外壁面ＷＬに取り付けるためのボルトを挿通させるためのボルト孔３ｉを２穴、上方と下方の二カ所に夫々開孔している。
【００４４】
また、前記下横桟３ｂにおける取り付け外壁面ＷＬと接面する接合面には、平面視Ｌ形状を有する板片で形成されたブラケット６が取り付けられ、該ブラケット６には、組立式バルコニー１を外壁面ＷＬに取り付けるボルトを挿通させるためのボルト孔６ａを２穴、開孔している。
【００４５】
そして、前記上横桟３ａの内側面には、前記あて板２１ｄに開孔された固定用ビス孔２１ｅと合致する位置に固定用ビス孔３ｍを２穴、開孔している。
【００４６】
さらに、前記下横桟３ｂの内側面には、後述する前記床パネル５の左端縁を載置すべく、長手方向に向けて水平方向に突出する床パネル支持リブ３ｋが水平方向に向けて突設されており、前記床パネル支持リブ３ｋには、組立状態において前記床パネル５を前記左側パネル３Ｌに固定する固定用ビス孔３ｑを３穴、開孔している。
【００４７】
図９は、床パネルの開閉状態を示す背面図であり、（ａ）は床パネルの閉状態を示す背面図であり、（ｂ）は床パネルの開状態を示す背面図である。また、図１０は、組立状態における側面断面図であり、図１１は、図１０におけるＤ−Ｄ部分拡大図である。
【００４８】
図９乃至図１１に示すように、前記床パネル５は、前枠５ａと後枠５ｂと左右の横枠５ｃとによって形成される床パネル枠５０と、該床パネル枠５０内にアルミニウムの薄板で形成された横長矩形状の３枚の床パネル板５１を内嵌して、さらに前記横枠５ｃ，５ｃ間の内側には、４本の縦桟５２を架け渡して構成している。
【００４９】
前記床パネル板５１は長手方向一端部に係合凹部５１ａを設け、長手方向他端部には、前記係合凹部５１ａと嵌め合い可能な係合凸部５１ｂを設けて、前記床パネル板５１の長手方向端部を夫々係合させ連結している。
【００５０】
そして、前記前枠５ａにおける前記前面パネル２との接合面には、後述する蝶番４２を取り付けるための蝶番用ビス孔５ｄを４穴、長手方向における中央および左右箇所の３カ所に、夫々開孔している。
【００５１】
また、前記横枠５ｃにおける前記左右側パネル３Ｌ，３Ｒとの支持面には、前記床パネル５を前記左右側パネル３Ｌ，３Ｒに固定するための固定用ビス孔５ｅを３穴、開孔している。
【００５２】
以上のように構成された前記前面パネル２と前記両側パネル３Ｌ，３Ｒと前記床パネル５とは、前記前面パネル２に対して、前記両側パネル３Ｌ，３Ｒと前記床パネル５とが、前記各蝶番４１，４２を介して、回動自在に枢着されている。
【００５３】
図１２は組立式バルコニーの分解斜視図であり、図１２に示すように、前記組立式バルコニー１は、前記前面パネル２の両端に設けた前記後方延設部２１Ｌ，２１Ｒの接合面２１ａの上部および下部に夫々開孔された前記蝶番用ビス孔２１ｂと、前記左右両側パネル３Ｌ，３Ｒの接合面３ｅの上部および下部に夫々開孔した前記蝶番用ビス孔３ｆとに、前記蝶番４１をビス止めして、前記前面パネル２と前記左右両側パネル３Ｌ，３Ｒとを回動自在となるように枢着している。また、前記前面パネル２の下横枠２ｂに開孔された前記蝶番用ビス孔２ｊと、前記床パネル５の前枠５ａに開孔された蝶番用ビス孔５ｄとに、前記蝶番４２をビス止めして、前記前面パネル２と前記床パネル５とが回動自在となるように枢着して形成されているのである。なお、前記各蝶番４１および４２において、前記蝶番用ビス孔２１ｂおよび２ｊと対応する孔は若干大きく開孔して（図示せず）、製造時に前記各パネル組付位置の微調整を可能としている。
【００５４】
以上のように構成された前記組立式バルコニー１は、前記前面パネル２に対して、前記両側パネル３Ｌ，３Ｒと前記床パネル５とを、内側に回動させることにより折り畳むことができる。
【００５５】
図１３は組立式バルコニーを折り畳んだ状態を示す背面図であり、図１４は折り畳んだ状態の左側部分斜視図である。
【００５６】
図１３および図１４に示すように、前記組立式バルコニー１を折り畳んだ状態では、先ず前記床パネル５を前記前面パネル２に対して略並行状態となるように折り畳み、次に、前記左側パネル３Ｌと右側パネル３Ｒを内側に折り畳む。このとき、前記後方延設部２１Ｌ，２１Ｒの横幅内に前記床パネル５の厚みが収容されるので、前記左側パネル３Ｌと右側パネル３Ｒを内側に折り畳んでも、前記両側パネル３Ｌ，３Ｒとは、前記前面パネルと略並行状態で折り畳むことができ、前記組立式バルコニー１は、保管・運搬に適した平坦な形状に折り畳むことができる。
【００５７】
そして、前記組立式バルコニー１を建物Ｍに取り付ける際は、前記組立式バルコニー１の両側パネル３Ｌ，３Ｒと前記床パネル５とを夫々外側方向に回動させて、前記組立式バルコニー１を組み立てるのである。
【００５８】
図１５は、左側パネルを開いた状態の要部斜視図である。また、図１６は、組立工程を示す斜視図であり、（ａ）は両側パネルを開いた状態を示す斜視図であり、（ｂ）は組み立てて固定した状態を示す斜視図である。
【００５９】
前記組立式バルコニー１を組み立てるのには、前述のように折り畳まれた状態から、先ず、図１６（ａ）の矢印Ｘの方向に、前記左側パネル３Ｌと、前記右側パネル３Ｒとを外方向に向けて回動させる。このとき、前記両側パネル３Ｌ，３Ｒと、前記前面パネル２とが略直角となる位置で、前記両側パネル３Ｌ，３Ｒの接合面３ｅと、前記後方延設部２１Ｌ，２１Ｒの接合面２１ａとが接触し、前記両側パネル３Ｌ，３Ｒの、外側へのさらなる回動を規制するのであって、回動規制手段を構成しているのである。そして、前記両側パネル３Ｌ，３Ｒを開いた後には、前記床パネル５を、図１６（ａ）の矢印Ｙの方向に回動させる。このとき、前記床パネル５の横枠５ｃの下面が、前記左側パネル３Ｌと右側パネル３Ｒの内側下部の対向面に突設されている前記床パネル支持リブ３ｋと、前記前面パネル２の内側下部に形成されている床パネル支持リブ２１ｓとに載置し、前記前枠５の下面が前記床パネル支持リブ２ｓに載置するので、前記床パネル５は前記前面パネル２に対して略直角に回動した状態で止まる。
【００６０】
そして、以上のように前記組立式バルコニー１を組み立てた状態において、図１６（ｂ）に示すように、先ず、前記左側パネル３Ｌと前記右側パネル３Ｒの各接合面３ｅに開孔されている固定用ビス孔３ｇの後方から、前記後方延設部２１Ｌ，２１Ｒの接合面２１ａに開孔されている固定用ビス孔２１ｃに向けて、各４本のビス４３を締め付けて、前記左側パネル３Ｌ及び右側パネル３Ｒを前記前面パネル２の後方延設部２１Ｌ，２１Ｒに夫々固定させる。そして、前記両側パネル３Ｌ，３Ｒの上横桟３ａの固定用ビス孔３ｍと前記あて板２１ｄの固定用ビス孔２１ｅとをビス４５で締め付け、前記両側パネル３Ｌ，３Ｒを前記前面パネル２に固定する。
【００６１】
次に、前記左側パネル３Ｌと右側パネル３Ｒの下部の対向面に形成されている前記床パネル支持リブ３ｋに、前記床パネル５を載置して支持させた状態で、前記床パネル支持リブ３ｋに開孔されている固定用ビス孔３ｑの下方から、前記床パネル５の前記横枠５ｃの固定用ビス孔５ｅに向けて左右各３本のビス４４を締め付けて、前記床パネル５を前記両側パネル３Ｌ，３Ｒに固定させるのである。
【００６２】
以上のように、前記組立式バルコニー１を組み立てて、組立状態において固定した後に、前記ブラケット６に開孔したボルト孔６ａと、前記両側パネル３Ｌ，３Ｒの接合面３ｈに開孔したボルト孔３ｉに、夫々ボルト（図示せず）を挿入して、前記建物Ｍの外壁面ＷＬに取り付けるのである。
【００６３】
以上の構成からなる前記組立式バルコニー１は、前記前面パネル２の両端に、前記左側パネル３Ｌおよび前記右側パネル３Ｒとが回動可能に枢着されるとともに、前記前面パネル２の下端に、前記床パネル５が回動可能に枢着されるため、保管・運搬時には、折り畳んでコンパクトな状態とすることができ、施工時において、容易に前記折り畳んだ状態からバルコニーの形状になるように組み立てることができ、さらに、この組立状態において、相互の接合部分をビス止めすることにより、容易に固定することができるのである。
【図面の簡単な説明】
【００６４】
【図１】本発明にかかる組立式バルコニーを建物外壁面に取り付けた状態を示す斜視図である。
【図２】同組立式バルコニーの組立状態における背面側斜視図である。
【図３】前面パネルの拡大断面図であり、（ａ）は図２におけるＡ−Ａ線拡大断面図であり、（ｂ）は図２におけるＢ−Ｂ線拡大断面図である。
【図４】前面パネルの部分拡大断面図であり、（ａ）は前面パネル上部の拡大断面図であり、（ｂ）は前面パネル下部の拡大断面図である。
【図５】前面パネルの端部拡大図であり、（ａ）は図２におけるＣ−Ｃ線拡大断面図であり、（ｂ）は拡大斜視図である。
【図６】前面パネルの分解斜視図である。
【図７】両側パネルの前方側斜視図であり、（ａ）は右側パネルの前方側斜視図であり、（ｂ）は左側パネルの前方側斜視図である。
【図８】両側パネルの後方側斜視図であり、（ａ）は左側パネルの後方側斜視図であり、（ｂ）は右側パネルの後方側斜視図である。
【図９】床パネルの開閉状態を示す背面図であり、（ａ）は床パネルの閉状態を示す背面図であり、（ｂ）は床パネルの開状態を示す背面図である。
【図１０】組立状態における側面断面図である。
【図１１】図１０におけるＤ−Ｄ部分拡大図である。
【図１２】組立式バルコニーの分解斜視図である。
【図１３】床パネルと両側パネルを折り畳んだ状態を示す背面図である。
【図１４】床パネルと左側パネルを折り畳んだ状態を示す部分斜視図である。
【図１５】左側パネルを開いた状態の要部斜視図である。
【図１６】組立工程を示す斜視図であり、（ａ）は両側パネルを開いた状態を示す斜視図であり、（ｂ）は組み立てて固定する状態を示す斜視図である。
【符号の説明】
【００６５】
Ｍ      建物
ＷＤ    窓
ＷＬ    外壁面
ＡＣ    エアコンの室外機
１      組立式バルコニー
２      前面パネル
２ａ    上横枠
２ｂ    下横枠
２ｃ    縦枠
２ｄ    幅広部
２ｅ    幅狭部
２ｆ    リブ（下方突出）
２ｇ    下横枠上面
２ｈ    リブ（上方突出）
２ｉ    リブ（上方突出）
２ｊ    蝶番用ビス孔
２ｓ    床パネル支持リブ（前面パネル）
２０    前面パネル枠
２２    前面開口部
２１Ｌ  後方延設部
２１Ｒ  後方延設部
２１ａ  接合面
２１ｂ  蝶番用ビス孔
２１ｃ  固定用ビス孔
２１ｄ  あて板
２１ｅ  固定用ビス孔
２１ｓ  床パネル支持リブ（後方延設部）
１０    ルーバー窓
１１    ルーバー枠
１１ａ  上枠
１１ｂ  下枠
１２    ルーバー
１２ａ  水平部
１２ｂ  ボルト孔
１３    長尺ボルト
１３ａ  ボルト軸
１４Ｌ  押え部材
１４Ｒ  押え部材
１５    押え部材
１６    ナット
１８    ビス（押え部材固定用）
Ｓ      スペーサ
３Ｌ    左側パネル
３Ｒ    右側パネル
３ａ    上横桟
３ｂ    下横桟
３ｃ    縦桟
３ｄ    縦桟
３ｅ    接合面（前面パネル間）
３ｆ    蝶番用ビス孔
３ｇ    固定用ビス孔
３ｈ    接合面（壁面間）
３ｉ    ボルト孔
３ｍ    固定用ビス孔
３ｋ    床パネル支持リブ（両側パネル）
３ｑ    固定用ビス孔
３０    左側（右側）パネル枠
３１    側パネル板
４１    蝶番（側パネル）
４２    蝶番（床パネル）
４３    ビス（固定用）
４４    ビス（固定用）
４５    ビス（固定用）
５      床パネル
５ａ    前枠
５ｂ    後枠
５ｃ    横枠
５ｄ    蝶番用ビス孔
５ｅ    固定用ビス孔
５０    床パネル枠
５０ａ  ビス孔
５０ｄ  ビス孔
５１    床パネル板
５１ａ  係合凹部
５１ｂ  係合凸部
５２    縦桟
６    ブラケット
６ａ  ボルト孔
【図１】
2006052608.tif 000003
【図２】
2006052608.tif 000004
【図３】
2006052608.tif 000005
【図４】
2006052608.tif 000006
【図５】
2006052608.tif 000007
【図６】
2006052608.tif 000008
【図７】
2006052608.tif 000009
【図８】
2006052608.tif 000010
【図９】
2006052608.tif 000011
【図１０】
2006052608.tif 000012
【図１１】
2006052608.tif 000013
【図１２】
2006052608.tif 000014
【図１３】
2006052608.tif 000015
【図１４】
2006052608.tif 000016
【図１５】
2006052608.tif 000017
【図１６】
2006052608.tif 000018